(57)【要約】【課題】簡易な構造により、噴流によって蓋部材が開放することを抑制することが可能な蓋構造を提供する。【解決手段】蓋構造２０は、収納容器１の収納部４を覆う蓋部材２２と、蓋部材２２の、蓋部材２２が収納部４を覆うときに収納部４と対向する側の対向面２２ａの端部２２ｂの近傍に設けられた突起部３０とを有する。突起部３０は、蓋部材２２が収納部４を覆うときに収納部４の外部となる位置に設けられている。突起部３０は、対向面２２ａに垂直な方向に対して対向面２２ａの端部２２ｂの方に傾いた傾斜面３２を有する。【選択図】図４
2019085146.tif 000002
【特許請求の範囲】
【請求項１】
収納容器の収納部を覆う蓋部材と、
前記蓋部材の、前記蓋部材が前記収納部を覆うときに前記収納部と対向する側の第１の面の端部の近傍に設けられた突起部と
を有し、
前記突起部は、前記蓋部材が前記収納部を覆うときに前記収納部の外部となる位置に設けられ、
前記突起部は、前記第１の面に垂直な方向に対して前記第１の面の端部の方に傾いた第２の面を有する
蓋構造。
【請求項２】
前記蓋構造は、前記収納容器の筐体とヒンジ部を介して回転可能に接続され、
前記突起部は、前記第１の面の、前記ヒンジ部と反対側の端部の近傍に設けられている
請求項１に記載の蓋構造。
【請求項３】
前記第１の面の端部には、ユーザが前記蓋部材を前記収納部に対して開いた状態にするときに指を掛けるように構成された指掛部が設けられており、
前記突起部は、前記指掛部の近傍に設けられている
請求項１又は２に記載の蓋構造。
【発明の詳細な説明】
【技術分野】
【０００１】
本発明は、蓋構造に関する。
【背景技術】
【０００２】
防水が必要な物を収納する収納容器は、防水構造を備える必要がある。このような収納容器では、例えば、筐体と蓋とがパッキンを介して押圧嵌合される構造が、コスト、取り扱いの容易化、構造の単純化といった観点によって、一般的に用いられている。
【０００３】
このような技術に関連し、特許文献１は、第１と第２の部材の少なくとも一方の周方向に形成された凹部に配設されたパッキングを介して第１と第２の部材が密着嵌合される部材間の密着構造を開示する。また、特許文献２は、光ケーブルの接続部あるいは電気ケーブルの接続部を開閉可能に収納するクロージャを開示する。特許文献２にかかるクロージャは、接続部を収納する筒状体の両端に端面部材を備えた構造である。ケーブルは、この端面部材を貫通して内部に導入される。端面部材におけるケーブル貫通部には、クロージャ内に水が浸入しないようにゴム状弾性材からなる端面パッキンが設けられている。
【先行技術文献】
【特許文献】
【０００４】
【特許文献１】特開２００４−１９７８８２号公報
【特許文献２】特開２００６−１５８１７２号公報
【発明の概要】
【発明が解決しようとする課題】
【０００５】
防水仕様が要求される製品において、例えばＩＰＸ５等級などの保護等級の製品は、噴流に対する収納容器内の保護対象物への悪影響を抑制することが求められる。一方、上述した技術では、保護対象物を収納した収納容器が噴流を受けたときに、蓋が開いてしまうおそれがある。また、噴流によって蓋が開かないような頑丈なロック機構等を設けることも考えられるが、このような機構を用いることで、収納容器の構造が複雑化するおそれがある。よって、簡易な構造により、噴流に対する防水性を向上させることが望まれる。
【０００６】
上記課題に鑑み、本発明は、簡易な構造により、噴流によって蓋部材が開放することを抑制することが可能な蓋構造を提供することを目的とする。
【課題を解決するための手段】
【０００７】
そこで、本発明は、収納容器の収納部を覆う蓋部材と、前記蓋部材の、前記蓋部材が前記収納部を覆うときに前記収納部と対向する側の第１の面の端部の近傍に設けられた突起部とを有し、前記突起部は、前記蓋部材が前記収納部を覆うときに前記収納部の外部となる位置に設けられ、前記突起部は、前記第１の面に垂直な方向に対して前記第１の面の端部の方に傾いた第２の面を有する蓋構造を提供する。
【発明の効果】
【０００８】
本発明によれば、簡易な構造により、噴流によって蓋部材が開放することを抑制することが可能な蓋構造を提供することができる。
【図面の簡単な説明】
【０００９】
【図１】実施の形態１にかかる収納容器を示す斜視図である。
【図２】実施の形態１にかかる収納容器を示す斜視図である。
【図３】実施の形態１にかかる蓋構造を示す斜視図である。
【図４】実施の形態１にかかる蓋構造を示す側面図である。
【図５】実施の形態１にかかる蓋構造が、収納部が蓋部材で覆われた状態でヒンジ部と反対側の端部の方から噴流を受けたときの挙動を示す図である。
【図６】比較例にかかる蓋構造を示す斜視図である。
【図７】比較例にかかる蓋構造を示す側面図である。
【図８】比較例にかかる蓋構造が、収納部が蓋部材で覆われた状態でヒンジ部と反対側の端部の方から噴流を受けたときの挙動を示す図である。
【発明を実施するための形態】
【００１０】
（実施の形態１）
以下、図面を参照して本発明の実施の形態について説明する。なお、実質的に同じ構成要素には、同じ符号が付される。
【００１１】
図１及び図２は、実施の形態１にかかる収納容器１を示す斜視図である。図１は、蓋部材が開いた状態を示す。一方、図２は、蓋部材が閉じた状態を示す。収納容器１は、例えば、通信ケーブル、光ケーブル又は電気ケーブル等のケーブル９２の接続部９０を収納する。接続部９０は、例えばコネクタである。
【００１２】
収納容器１は、筐体２と、筐体２に設けられた収納部４と、蓋構造２０と、筐体２と蓋構造２０とを接続するヒンジ部１０とを有する。収納部４は、側壁６Ａ，６Ｂ，６Ｃ，６Ｄによって四方を囲まれて形成されている。蓋構造２０は、蓋本体である蓋部材２２と、突起部３０とを有する。突起部３０については、図３等を用いて後述する。
【００１３】
蓋部材２２は、筐体２とヒンジ部１０を介して回転可能に接続されている。蓋部材２２は、図１に示すように開いた状態から図２に示すように閉じた状態に、ヒンジ部１０の周りに回転することができる。逆に、蓋部材２２は、図２に示すように閉じた状態から図１に示すように開いた状態に、ヒンジ部１０の周りに回転することができる。図２に示す状態で、蓋部材２２は、収納部４を覆っている。言い換えると、図２に示す状態では、蓋部材２２は、収納部４に対して閉じた状態である。一方、図１に示す状態では、蓋部材２２は、収納部４に対して開いた状態である。
【００１４】
側壁６Ａは、収納部４のヒンジ部１０の側に設けられている。側壁６Ｂは、側壁６Ａと対向する位置に設けられている。側壁６Ｃは、側壁６Ｂから側壁６Ａを見て左側に設けられている。側壁６Ｄは、側壁６Ｂから側壁６Ａを見て右側に設けられている。側壁６Ａには、端子部材４ａが設けられている。端子部材４ａは、接続部９０が収納部４に収納された状態で、接続部９０の端子部材と嵌合可能に構成されている。
【００１５】
側壁６Ｂには、ケーブル９２を通過させるための切欠部８が設けられている。切欠部８には、ゴム等の弾性部材で形成されたブッシュ８ａが挿入される。ブッシュ８ａは、ケーブル９２が差し込まれるように構成されており、したがって、ブッシュ８ａは、切欠部８において、ケーブル９２の周囲を覆うことが可能に構成されている。ブッシュ８ａにより、切欠部８からケーブル９２に沿って収納部４に水が浸入することを防止できる。なお、ケーブル９２とブッシュ８ａとは、一体構造であってもよい。
【００１６】
蓋部材２２の、蓋部材２２が収納部４を覆うときに収納部４と対向する側の対向面２２ａ（第１の面）には、ゴム等の弾性部材で形成されたパッキン２４が取り付けられている。パッキン２４は、収納部４の周囲の形状、つまり側壁６Ａ，６Ｂ，６Ｃ，６Ｄの形状に対応するように、矩形に形成されている。図２に示すように蓋部材２２が収納部４を覆うときに、パッキン２４が、側壁６Ａ，６Ｂ，６Ｃ，６Ｄの上端面に接する。さらに、ユーザが、蓋部材２２の表面２２ｃに設けられたロック機構１２をオンすると、蓋部材２２が筐体２に固定される。これにより、パッキン２４が、側壁６Ａ，６Ｂ，６Ｃ，６Ｄの上端面に密着する。
【００１７】
したがって、図２に示すように蓋部材２２が収納部４を覆うと、パッキン２４及びブッシュ８ａにより、収納部４は密閉されることとなる。接続部９０の端子部材及び端子部材４ａは防水される必要があるが、上述したように収納部４が密閉されることにより、接続部９０は、端子部材４ａと接続された状態で、防水性が保たれることとなる。つまり、接続部９０が端子部材４ａと接続された状態で、収納部４に水分が浸入することを抑制することが可能である。したがって、接続部９０の端子部材及び端子部材４ａ自体が防水性能を有していなくても、蓋部材２２を閉じることで、接続部９０の端子部材及び端子部材４ａの防水性が保たれることとなる。
【００１８】
また、図１に示すように、蓋部材２２の対向面２２ａの、ヒンジ部１０とは反対側の端部２２ｂの近傍には、噴流抑止部２６が設けられている。噴流抑止部２６は、図２に示すように蓋部材２２が収納部４を覆う状態で、噴流抑止部２６は、ケーブル９２に突き当たる。これにより、噴流が切欠部８に当たる場合に、パッキン２４と側壁６Ｂのブッシュ８ａとの隙間に噴流が直接当たることを抑制することができる。したがって、噴流水が切欠部８においてパッキン２４とブッシュ８ａとの間から浸入することを抑制することができる。また、図２に示すように、蓋部材２２が収納部４を覆うとき、突起部３０は、収納部４の外部に位置する。言い換えると、突起部３０は、蓋部材２２が収納部４を覆うときに収納部４の外部となる位置に設けられている。
【００１９】
図３は、実施の形態１にかかる蓋構造２０を示す斜視図である。また、図４は、実施の形態１にかかる蓋構造２０を示す側面図である。図４は、蓋構造２０を図３の矢印Ａの方向に見た図である。突起部３０は、対向面２２ａの端部２２ｂの近傍に設けられている。突起部３０は、端部２２ｂと噴流抑止部２６との間に設けられている。したがって、突起部３０は、蓋部材２２が収納部４を覆うときに収納部４の外部となる位置に設けられている。
【００２０】
また、端部２２ｂには、突起部３０との間に指掛部２８が設けられている。指掛部２８は、ユーザが蓋部材２２を収納部４に対して開いた状態（図１に示す状態）にするときに、指を掛けるように構成されている。指掛部２８に指を掛けることにより、ユーザは、容易に蓋部材２２を開けることができる。
【００２１】
突起部３０は、傾斜面３２（第２の面）を有する。傾斜面３２は、突起部３０の端部２２ｂの側に設けられている。図４に示すように、傾斜面３２は、矢印Ｂで示すような、対向面２２ａに垂直な方向に対して端部２２ｂの方に傾くように形成されている。言い換えると、対向面２２ａの端部２２ｂの側に対する傾斜面３２の角度θは、９０度未満である。つまり、０°＜θ＜９０°である。
【００２２】
また、突起部３０の先端には、曲面部３４が形成されている。接続部９０が収納部４に収納された状態でケーブル９２が突起部３０の先端に接触する際に、ケーブル９２が曲面部３４に接触するように構成されている。これにより、突起部３０の先端にケーブル９２が当たった場合でも、突起部３０の先端でケーブル９２の曲がり具合を緩やかにする、つまりケーブル９２の曲率を小さくすることができる。
【００２３】
図５は、実施の形態１にかかる蓋構造２０が、収納部４が蓋部材２２で覆われた状態でヒンジ部１０と反対側の端部２２ｂの方から噴流を受けたときの挙動を示す図である。矢印Ｃで示すように、蓋構造２０が、端部２２ｂの方から噴流を受けたとき、噴流により、突起部３０の傾斜面３２には、傾斜面３２に垂直な方向に力Ｆが加わる。力Ｆは、蓋部材２２が収納部４の側に向かう方向、つまり図５の下向き方向の、成分Ｆｙを有している。したがって、蓋部材２２は、矢印Ｄで示すように、収納部４の側に押圧されることとなる。つまり、蓋部材２２は、蓋部材２２が閉じる方向に押圧されることとなる。
【００２４】
このように、蓋構造２０が端部２２ｂの方から噴流を受けた場合であっても、突起部３０が蓋部材２２に設けられていることにより、蓋部材２２が閉じる方向に押圧する力Ｆを発生させることができる。したがって、蓋構造２０が端部２２ｂの方から噴流を受けた場合であっても、蓋部材２２が開放することが抑制される。
【００２５】
さらに、上記の蓋部材２２の開放の抑制は、突起部３０を端部２２ｂの近傍に設けるといった簡易な構造によって実現することができる。したがって、実施の形態１にかかる蓋構造２０は、簡易な構造により、噴流によって蓋部材２２が開放することを抑制することが可能である。
【００２６】
なお、矢印Ｃの方向の噴流による力をｆとすると、Ｆｙ＝ｆ・ｓｉｎθ・ｃｏｓθと表される。ここで、ｓｉｎθ・ｃｏｓθは、θ＝４５°の時に最大となる。したがって、θを４５°の近傍の値（例えば４０°＜θ＜５０°）とすることで、より効果的に、噴流によって蓋部材２２が開放することを抑制することができる。
【００２７】
（比較例）
次に、比較例について説明する。
図６は、比較例にかかる蓋構造１００を示す斜視図である。また、図７は、比較例にかかる蓋構造１００を示す側面図である。図６は、図３に対応し、図７は、図４に対応する。比較例にかかる蓋構造１００は、突起部３０を有しない点で、実施の形態１にかかる蓋構造２０と異なる。それ以外の構成については、比較例にかかる蓋構造１００は、実施の形態１にかかる蓋構造２０と実質的に同様である。
【００２８】
図８は、比較例にかかる蓋構造１００が、収納部４が蓋部材２２で覆われた状態でヒンジ部１０と反対側の端部２２ｂの方から噴流を受けたときの挙動を示す図である。矢印Ｃで示すように、蓋構造１００が、端部２２ｂの方から噴流を受けたとき、噴流により、指掛部２８に、収納部４とは反対側の方向つまり図８の上向きの方向の力Ｆａが加わる可能性がある。これにより、矢印Ｅで示すように、蓋部材２２は、収納部４を開放する方向に押圧されてしまう可能性がある。
【００２９】
したがって、比較例にかかる蓋構造１００では、端部２２ｂの方から噴流を受けた場合、蓋部材２２が開く方向に押圧されるおそれがある。よって、比較例にかかる蓋構造１００では、噴流によって蓋部材２２が開放してしまうおそれがある。したがって、比較例にかかる蓋構造１００では、噴流に対する防水性を確保できないおそれがある。
【００３０】
これに対し、実施の形態１にかかる蓋構造２０では、上述したように、噴流による力により、蓋部材２２が閉じる方向に力を発生させることができる。したがって、実施の形態１にかかる蓋構造２０は、噴流を受けた場合であっても、蓋部材２２が開放することを抑制することができる。したがって、実施の形態１にかかる蓋構造２０は、噴流に対する防水性を確保することが可能となる。
【００３１】
なお、実施の形態１にかかる蓋構造２０にも指掛部２８が設けられている。したがって、実施の形態１にかかる蓋構造２０でも、噴流により、指掛部２８に、収納部４とは反対側の方向の力Ｆａが加わる可能性がある。しかしながら、力Ｆａは、力Ｆの成分Ｆｙと比較すると非常に小さい。したがって、指掛部２８に加わる力Ｆａは、傾斜面３２に加わる力Ｆによって相殺されてしまう。したがって、実施の形態１にかかる蓋構造２０は、指掛部２８が設けられている場合であっても、噴流を受けた場合に蓋部材２２が開放することを抑制することができる。
【００３２】
（変形例）
なお、本発明は上記実施の形態に限られたものではなく、趣旨を逸脱しない範囲で適宜変更することが可能である。例えば、上述した実施の形態では、収納容器１は、ケーブルの接続部を収納するとしたが、このような構成に限られない。実施の形態１にかかる収納容器１は、噴流水に対する保護耐性が要求される任意の保護対象物を収納可能な容器に適用可能である。
【００３３】
また、上述した実施の形態においては、突起部３０は、指掛部２８の近傍に設けられているとしたが、このような構成に限られない。突起部３０は、指掛部２８の近傍になくてもよい。さらに、指掛部２８はなくてもよい。一方、突起部３０が指掛部２８の近傍に設けられていることによって、噴流により指掛部２８に加わる、蓋部材２２が開放する方向の力を相殺することができる。
【００３４】
また、上述した実施の形態１にかかる蓋構造２０は、ヒンジ部１０を介して筐体２に接続されているとしたが、このような構成に限られない。ヒンジ部１０はなくてもよく、蓋構造２０は、筐体２に対して脱着可能であってもよい。また、上述した実施の形態１においては、突起部３０は、蓋部材２２の対向面２２ａのヒンジ部１０とは反対側の端部２２ｂの近傍に設けられているとしたが、このような構成に限られない。例えば、突起部３０は、蓋部材２２の対向面２２ａの、側壁６Ｃ又は側壁６Ｄに対向する箇所に設けられていてもよい。しかしながら、蓋部材２２がヒンジ部１０とは反対側の端部２２ｂの側、つまり側壁６Ｂの側から噴流を受けた場合は、蓋部材２２が側壁６Ｃ又は側壁６Ｄの側から噴流を受けた場合よりも、蓋部材２２が開放され易い。したがって、蓋部材２２の対向面２２ａのヒンジ部１０とは反対側の端部２２ｂの近傍に突起部３０が設けられていることによって、より効果的に、蓋部材２２が開放することを抑制することができる。
【符号の説明】
【００３５】
１  収納容器
２  筐体
４  収納部
４ａ  端子部材
６Ａ，６Ｂ，６Ｃ，６Ｄ  側壁
８  切欠部
８ａ  ブッシュ
１０  ヒンジ部
２０  蓋構造
２２  蓋部材
２２ａ  対向面
２２ｂ  端部
２４  パッキン
２６  噴流抑止部
２８  指掛部
３０  突起部
３２  傾斜面
【図１】
2019085146.tif 000003
【図２】
2019085146.tif 000004
【図３】
2019085146.tif 000005
【図４】
2019085146.tif 000006
【図５】
2019085146.tif 000007
【図６】
2019085146.tif 000008
【図７】
2019085146.tif 000009
【図８】
2019085146.tif 000010